(57)【要約】【課題】ディスクシャッタが変形した粗悪ディスクカートリッジが挿入された場合であってもシャッタが開閉扉に引っかかることなくスムーズに排出することができるディスク装置を提供する。【解決手段】開閉扉６の上端縁部には開閉扉と一体的に形成された突出部１９が扉の背面方向に向かって斜め上方に突出して設けられている。開閉扉６がディスクカートリッジ３０の底面に当接するように回動した状態であるディスクカートリッジ排出動作時において、変形によりディスクシェル３２の表面から浮き上がってしまったディスクシャッタ３１の端部は突出部１９に当接し、突出部１９によって形成された傾斜面に沿って移動される。傾斜面を昇りきったところで、ディスクシャッタは開閉扉６の先端縁部に達し、この先端縁部上を摺接しながら移動することにより、ディスクカートリッジはスムーズに排出される。【選択図】  図３
2006012364.tif 000002
【特許請求の範囲】
【請求項１】
ディスクシャッタが設けられたディスクカートリッジを挿排出する挿入口をフロントベゼルに有するディスク装置において、
前記フロントベゼルに回動自在に軸支されるとともに前記挿入口を封止するように付勢され、前記ディスクカートリッジの前記挿入口への挿入に応じて軸を中心に挿入方向に回動する開閉扉と、
前記開閉扉の先端部が前記ディスクカートリッジ表面と当接したディスクカートリッジ排出動作状態においてディスクカートリッジ挿入方向に対して前記ディスクカートリッジ表面から離間する方向に前記先端部から鋭角で傾斜する傾斜面を有するよう前記先端部に形成された突出部とを有することを特徴とするディスク装置。
【請求項２】
前記開閉扉は前記フロントベゼル背面の前記挿入口下部で軸支されていることを特徴とする請求項１記載のディスク装置。
【発明の詳細な説明】
【技術分野】
【０００１】
本発明は、フレキシブルディスクの如きカートリッジに収納されたディスクに対してデータを記録再生するディスク装置に関し、特に当該ディスク装置のディスクカートリッジ挿入口に設けられた開閉扉の構造に関する。
【背景技術】
【０００２】
従来、コンピュータデータを記憶する外部記憶装置としてフレキシブルディスク装置が知られている。かかる装置は脱着交換可能なフレキシブルディスクに磁気によってデータを記録し、又は記録されたデータを再生するものである。フレキシブルディスクは樹脂により形成されたディスクシェルと開閉可能なディスクシャッタからなるカートリッジ内に収納されており、手軽に持ち運びができるようになっている。
【０００３】
このフレキシブルディスク装置には、正面のフロントベゼルにディスクカートリッジ挿入口が設けられており、この挿入口からディスクカートリッジを挿入することによってディスクカートリッジは装置内部のホルダ内に導かれディスク装填位置に案内される。この際、ディスクカートリッジに設けられたディスクシャッタが装置内に設けられたシャッタアームによって徐々に開放されていき、これによってディスクの記録面が露出される。ディスクシャッタが完全に開放されたところで、ホルダは下方に移動し、ディスクはターンテーブルにクランプされる。これと同時に磁気ヘッドキャリッジ上に設けられたアッパーアームが下方に回動し、露出されたディスク面をアッパーアーム及びヘッドキャリッジ先端に設けられた上下の磁気ヘッドにより挟持する。そしてディスクを回転するとともに、ヘッドキャリッジをディスク半径方向に駆動してヘッドを所望の位置に移動することにより、ディスクにデータを書き込んだり、ディスクに記録されたデータを読み出す。
【０００４】
ここで、ディスクカートリッジ挿入口には、装置内に塵埃が侵入するのを防止するために挿入口を封止する開閉扉が設けられている。この開閉扉は、フロントベゼル背面の挿入口の上部で軸支されており、ディスクカートリッジ排出方向にコイルバネ等により付勢されて挿入口を塞いでいる。ディスクカートリッジが挿入されることによりカートリッジの先端が開閉扉の前面に当接し、開閉扉はカートリッジに押されることによって軸を中心として装置内部上方に向かって回動して扉の下方が開放され、更にカートリッジを挿入することにより、カートリッジの上面が開閉扉の先端部と摺接しながらカートリッジはクランプ位置まで挿入される。
【０００５】
以上は、開閉扉の上部が軸支されて下方が開く下開きの構造の開閉扉についてであったが、これに対して開閉扉がフロントベゼル背面の挿入口の下部で軸支され、カートリッジ挿入によってこの軸を中心に装置内部下方に向かって回動して扉の上方が開放するような上開きの構造にすることも考えられる。例えば、フレキシブルディスクドライブ装置にＰＣカードリーダのような別の媒体の記録再生機能を設けてフレキシブルディスクの挿入口の上にＰＣカードの挿入口を配置したドライブ装置を構成する場合において、装置の薄型化の要請からフレキシブルディスクの挿入口とＰＣカードの挿入口との間に開閉扉を軸支する十分なスペースが確保できないため、このような場合には挿入口の下部で軸支する上開きの開閉扉の構造を採用した方が都合がよい。
【特許文献１】特開２００３−２２３７５６号公報
【発明の開示】
【発明が解決しようとする課題】
【０００６】
かかる開閉扉の構造を有するフレキシブルディスク装置に挿入されたディスクカートリッジを排出する場合、通常のディスクであれば上述した動作と反対の動作を辿ることによりスムーズに排出される。しかしながら、ディスクシャッタが変形しディスクシェルの表面から浮き上がってしまったような粗悪ディスクを使用した場合、挿入は可能であるが、排出時においては、ディスクシェル表面から浮き上がったディスクシャッタの端部が開閉扉に引っかかり、ディスク排出不能となる可能性がある。
【０００７】
粗悪ディスクのディスクシャッタは通常の姿勢（水平方向）で使用すると重力の影響を受けるため、挿入状態においてカートリッジ上面側シャッタの浮き上がりに対して底面側シャッタの浮き上がりが大きくなる。したがって、通常のフレキシブルディスク装置で採用されている開閉扉が上部で軸支された下開き構造では上述したディスク排出不能となる状況はそれほど発生しないが、開閉扉が下部で軸支された上開き構造では致命的な問題となる。
【０００８】
以下、かかるディスクシャッタの引っかかりによるディスク排出不能の状態を図に基づいて説明する。図４（ａ）はこの状態の装置底面からみた図を示し、図４（ｂ）はこの状態の装置の側面断面図を示す。底面側ディスクシャッタ４１はシャッタの変形と自重により、その端面が下方に浮き上がっている。ディスクの排出が開始されると、フロントベゼル４３の背面のディスクカートリッジ挿入口４４の下部で軸支された開閉扉４５の先端縁部にディスクカートリッジ４０のディスクシェル４２の底面が摺接しながら移動していく。そしてディスクカートリッジの排出が進むと、下方に浮き上がったディスクシャッタ４１の端部が開閉扉４５の先端部に衝突することによって、ディスクカートリッジ４０の排出が停止される。この状態でさらにディスクカートリッジを排出しようとディスクカートリッジ４０を引っ張っても、シャッタ４１の端部が開閉扉４５の先端部に引っかかっているため、ディスクカートリッジ４０はこれ以上排出できず、無理に引っ張ると開閉扉４５を破損したり、ディスクシャッタ４１をさらに変形させてしまう。
【０００９】
この問題を回避するために、例えば、ディスクシャッタが接触する部分の開閉扉の先端部の肉厚を薄くすることが考えられる。しかしながら、これでは開閉扉の強度が不足してしまう。これに対して、開閉扉の強度を確保するために、さらに、肉厚を薄くした先端部分の裏面を肉厚にして補強することが考えられる。しかしながら、上開き構造の開閉扉の場合、開閉扉が回動する方向、すなわち装置の下方にフレーム、ホルダといった重要部品があるため、肉厚部分がこのフレームやホルダに接触し、所定の位置まで開閉扉が回動できない。したがって、上記のような極端な形状にすることはスペース的に困難である。
【００１０】
そこで本発明は、ディスクシャッタが変形してディスクシェルの表面から浮き上がってしまったような粗悪ディスクカートリッジであってもスムーズに排出することができる開閉扉構造を有するディスク装置を提供することを目的とする。
【課題を解決するための手段】
【００１１】
上記目的を達成するために、本発明は、ディスクシャッタが設けられたディスクカートリッジを挿排出する挿入口をフロントベゼルに有するディスク装置において、前記フロントベゼルに回動自在に軸支されるとともに前記挿入口を封止するように付勢され、前記ディスクカートリッジの前記挿入口への挿入に応じて軸を中心に挿入方向に回動する開閉扉と、前記開閉扉の先端部が前記ディスクカートリッジ表面と当接したディスクカートリッジ排出動作状態においてディスクカートリッジ排出方向に対して前記ディスクカートリッジ表面から離間する方向に前記先端部から鋭角で傾斜する傾斜面を有するよう前記先端部に形成された突出部とを有することを特徴とする。
【発明の効果】
【００１２】
本発明によれば、開閉扉の先端部に突出部を形成することにより、ディスクシャッタが変形しディスクシェルの表面から浮き上がってしまったような粗悪ディスクカートリッジを排出する場合であっても、ディスクシャッタの端部が傾斜面にしたがって移動して開閉扉の先端部を通過することから、ディスクシャッタが開閉扉に引っかかることなく、スムーズに排出することができる。
【発明を実施するための最良の形態】
【００１３】
以下、図面に基づき本発明の実施の形態について説明する。図１は、本発明の実施形態にかかるフレキシブルディスク装置のフロントベゼルの背面図及び側面断面図を示している。
【００１４】
図１（ａ）に示すように、フロントベゼル１には、上方にメモリカードの挿入口２，３が並列して設けられており、その下方に点線の枠で示されたフレキシブルディスクの挿入口４が設けられている。すなわち、本実施形態におけるフレキシブルディスク装置はメモリカードリーダが一体的に搭載されたコンボドライブ装置である。フロントベゼルの左下方には、イジェクトボタンが挿通される挿通口５が設けられている。フレキシブルディスクの挿入口４に対応する部分には、この挿入口４を塞ぐように挿入口４より若干広い面積を有する開閉扉６が設けられている。開閉扉６の下方には支持部７が突出して設けられており、支持部７からは開閉扉の長辺方向に対して平行に延びる軸８が一体的に形成されている。この軸８はフロントベゼル１のフレキシブルディスク挿入口４の下部に形成された軸受部９の軸穴に遊嵌されている。したがって、開閉扉６はその下部を支持部７を通じて軸８と軸受部９によって軸支され、この軸を中心として装置内部下方に向かって回動可能であって、扉の上方が開く上開きの構造とされている。また、軸８にはコイルバネ１０が遊嵌されている。コイルバネ１０の一端はフロントベゼルに当接しており、他端は支持部７に隣接して設けられた嵌入溝１１に嵌入されており、コイルバネの弾性力により開閉扉６をフロントベゼル１に押圧付勢している。
【００１５】
図１（ｂ）において、装置内の構造については、その詳細を省略するが、ディスク挿入口４に対応する装置内にはホルダ１２が設けられている。ディスクカートリッジはディスク挿入口４から挿入されると、ホルダ１２内に載置される。ホルダ１２の下部にはホルダ１２を支持するスライダ１３が設けられている。ホルダ１２の側面にはボス１４が突出しており、スライダの側面に設けられた傾斜溝１５に嵌入されている。スライダ１３はフレーム１６上に設けられており、またフレーム１６にはディスク回転モータ、磁気ヘッドキャリッジ、磁気ヘッドキャリッジをディスク半径方向に移動するステッピングモータ等が設けられている（図示せず）。また、メモリカード挿入口２，３に対応する装置内にはメモリカードスロット１７が設けられている。メモリカードスロット１７はプリント回路基板１８上に載置されており、プリント回路基板上には他の電子部品も取り付けられている。
【００１６】
開閉扉６の開放側端部である上端縁部には突出部１９が設けられている。この突出部１９は、メモリカード挿入口２と３の間の開閉扉の略中央に位置している。これは、メモリカード挿入口２，３とディスク挿入口４の間の距離が短いため、この間に突出部を設けるスペースがないという理由とともに、ディスク排出の際、突出部がディスクシャッタの中央部分に当接することによりディスクシャッタ端部の縁全体がスムーズに開閉扉の先端縁部に乗り上げるようにするためである。そして、プリント回路基板１８には開閉扉６が回動する際に突出部１９が基板に衝突しないよう、突出部１９に対向する位置に逃げ溝が設けられている。この突出部については、後述する。
【００１７】
図２（ａ）は開閉扉６の前面の斜視図を示しており、図２（ｂ）は図２（ａ）の開閉扉をＡ方向から見たときの開閉扉６の側面図を示している。開閉扉本体２０の左右の端部２２は、本体２０の中央部分２１に比べ肉薄とされており、左右の端部２２の背面の方が、中央部分２１の背面よりも開閉扉前面に近い位置にある。したがって、装置の内部空間は、開閉扉本体の左右端部２２の後方の空間の方が、中央部分２１の後方の空間より肉薄とされた分広く設けられている。これは、開閉扉本体の左右端部２２の後方の装置内にディスクを案内するための案内部がホルダよりフロントベゼル側に向って突出していることにより、開閉扉を回動した際に、この左右端部の背面がこのホルダの案内部に衝突するのを回避するためである。
【００１８】
また、開閉扉本体２０の下端からは支持部７が下方に向って延びており、この支持部７は途中で前方に屈曲した略くの字形状を有している。これは、軸８から開閉扉本体２０までの支持部に沿った距離を長くするためである。仮に支持部７を屈曲させることなく開閉扉本体２０の下端から下方にまっすぐ延びるような形状とした場合、支持部の長さ、すなわち支持部に沿った軸から開閉扉本体までの距離が短くなる。このような構造においてディスク挿入口の下縁部からディスクカートリッジを勢いよく挿入した場合、ディスクカートリッジの先端は開閉扉本体と支持部の間の根元部分に衝突し、支持部の長さが短いことからこの力が軸に直接伝わり、軸が軸受部の軸穴から外れてしまったり、軸が折れてしまうおそれがある。これに対して支持部を屈曲させて軸から開閉扉までの距離を長くすると、ディスクカートリッジの衝突による力は支持部の弾性力によって減衰され、軸まで直接伝わらないため、軸が軸受部から外れたりする等のおそれは少ない。また、支持部を屈曲させていることから支持部を通じての軸から開閉扉の距離に対して、軸から開閉扉までの直線距離は短い。したがって、開閉扉の回転半径は同じ長さだけ支持部をまっすぐ延ばした場合に比べ短い。よって、同じ高さまで挿入口を開放する場合でも、回動角度は小さくて済み、装置内に設けられたホルダ等に開閉扉が衝突することはない。
【００１９】
開閉扉６の上端縁部の中心部分からは突出部１９が突出しており、開閉扉６と一体的に形成されている。この突出部は、ディスクシャッタが変形してディスクシェルの表面から浮き上がってしまったような粗悪ディスクカートリッジを排出する場合に、ディスクシャッタの端部が開閉扉に引っかからないようにするために設けられたものである。
【００２０】
この突出部１９は開閉扉本体２０の上端の前面縁部から背面上部にわたる部分から背面方向、すなわち装置内部方向に向かって斜め上方に傾斜して突出している。また、突出部１９の背面側の面は開閉扉と水平、すなわちディスク挿入方向に垂直に形成されている。この突出部の傾斜角は、図３に示すようなディスクカートリッジ排出動作時の状態、すなわち開閉扉がディスクカートリッジの底面に当接するように回動した状態の時に、浮き上がったディスクシャッタの端部が開閉扉の先端縁部から傾斜して延びる突出部の傾斜面をスムーズに乗り上げることができるような斜面角となるような角度とされている。ここでスムーズに乗り上げることができる斜面角とは、浮き上がったディスクシャッタ面に対して鋭角となるような角度であり、ディスク挿排出方向と水平な面であるディスクシェル面に対して２０度から３０度程度にされている。また、突出部の長さは、排出動作時において、開閉扉の先端縁部から延びる突出部の傾斜面の先端の位置が粗悪ディスクカートリッジのディスクシャッタの浮き上がり位置のうち予測される最悪の位置より下方に位置するような長さとなるように設けられている。ここで傾斜角度については、浮き上がったディスクシャッタの端部が突出部の傾斜面をスムーズに乗り上げることができる程度の傾斜があればよいので、傾斜角をより小さく設定することも考えられるが、あまり角度を小さくすると、それだけ傾斜面の長さ、すなわち突出部の長さを長くしなければ突出部の先端がディスクシャッタの浮き上がり位置より下方に位置しないため、突出部が長くなり過ぎ、スペース上問題となる。したがって、突出部の長さが長くなり過ぎない程度でディスクシャッタが十分傾斜面を乗り上げることができる程度の傾斜角にするのが望ましい。
【００２１】
このように突出部を開閉扉の先端縁部から傾斜して設けたことから、開閉扉自体の肉厚はそのまま維持され、開閉扉の強度を従来のまま維持することができる。また、開閉扉自体の肉厚はそのままであることから、開閉扉自体を先細り形状にして背面に補強部を設けた場合のように軸に近い部分の補強部の厚みのため、扉を開く時に装置下方に設けられたホルダやスライダに補強部が衝突し、必要以上に扉が開かないといったような問題が生じることがない。また、突出部の背面側の面を開閉扉と水平に形成することによって、シャッタを案内する傾斜面の先端縁部に比べ、突出部端部の他の部分は開閉扉からの距離が短くなることから、ディスク挿入により開閉扉が回動された際において、短くした分だけ装置内に設けられたホルダやフレーム等との間のスペースを確保できる。
【００２２】
次に、図３に基づいて粗悪ディスクカートリッジを排出する際の動作を説明する。図示しないイジェクトボタンを押すことによりスライダ１３が後方に移動し、これに伴いホルダ１２のボス１４がスライダ１３の傾斜溝１５に沿って上方に移動する。これによってディスクのクランプ状態が解除され、ホルダ１２が上昇する。これと同時にディスクカートリッジ３０のディスクシャッタ３１に係合してシャッタをディスクを露出する方向に開放していた図示しないシャッタアームのラッチ状態が解除され、シャッタアームをディスク排出方向に付勢していたバネの弾性力により、ディスクシャッタ３１を閉じていくとともにディスクカートリッジ３０を排出方向に付勢する。これによってディスクカートリッジ３０は排出方向への移動を開始する。
【００２３】
この時、開閉扉６の先端の縁部がディスクカートリッジ３０のディスクシェル３２の底面に当接した状態であり、ディスクカートリッジの移動にともない、ディスクシェル３２の底面は開閉扉６の先端縁部を摺動する。この摺動による摩擦力によってディスクカートリッジが挿入口から勢いよく飛び出すことが防止される。
【００２４】
この摺動状態において、突出部１９は開閉扉６の先端縁部からディスク挿入方向に向かってディスクシェルの底面に対して２０度〜３０度程度下方に傾斜する傾斜面を有している。そして、この開閉扉６の先端縁部から延びる傾斜面の最下方位置である突出部１９の先端部は変形により浮き上がったディスクシャッタの端部よりも下方に位置している。
【００２５】
ディスクカートリッジ３０の排出がさらに進むと、ディスクシャッタ３１の端部が突出部１９に衝突する。しかしながら、このとき衝突するのは前述したように緩やかに傾斜した傾斜面である。したがって、ディスクシャッタ３１の端部は突出部１９との衝突によって排出方向への移動が規制されることなく、この傾斜面に沿って摺動する。突出部１９の傾斜面に沿って摺動することにより、ディスクシャッタ３１の端部はディスクシェル３２に近づく方向、すなわち上方に移動しながら、ディスク排出方向に移動していく。そしてディスクシャッタの端部が傾斜面を昇りきったところで、ディスクシャッタはディスクシェルと同一平面上に位置することとなり、ディスクシャッタの端部は開閉扉６の先端縁部と当接する。そしてこの後は、ディスクシャッタ３１の底面がこの開閉扉６の先端縁部を摺動することにより、ディスクカートリッジ３０は排出方向に移動する。以上により、ディスクシャッタが変形してシャッタの端部が浮き上がった粗悪なディスクカートリッジであってもディスクカートリッジの排出をスムーズに行うことが可能となる。
【００２６】
以上、本発明の実施形態について説明したが、本発明はこれに限定されるものではなく、種々の変更が可能である。
【００２７】
例えば、本実施形態では、突出部の先端傾斜面は平面であったが、これを円弧状又は球面状の傾斜面としてもよい。また、ディスクシャッタは傾斜面上を摺動するにしたがいディスクシェル面に水平になるように近づいていき、傾斜面に対する当接角度が小さくなっていくことから、傾斜面は突出部の先端に近い側でより緩やかにして開閉扉の先端縁部に近づくにしたがい傾斜を大きくするようにすれば、突出部の長さを短くしつつ、ディスクシャッタ端部の傾斜面上の摺動を滑らかに保つことが可能である。また、突出部は開閉扉の中央部分に１箇所のみ設けているが、これを複数箇所に設けるようにしてもよい。さらに突出部の幅をさらに広げ、開閉扉の上端全体から突出するようにしてもよい。
【００２８】
また、本実施形態では、粗悪ディスクを用いた場合、底面側のディスクシャッタがディスクシェル面から浮き上がることが多いことから、開閉扉の下部が軸支されて上方が開く上開きの構造の開閉扉について説明を行った。しかしながら、ディスクシャッタの変形がひどく、ディスクカートリッジを通常の姿勢（水平方向）で使用する場合においても上面側のディスクシャッタがディスクシェル面から浮き上がってしまっているような粗悪ディスクもあり得る。また、フレキシブルディスク装置を垂直方向に置いてディスクカートリッジを垂直方向で使用する場合においては、上面側のディスクシャッタがディスクシェル面から浮き上がってしまうこともあり得る。このような場合には、開閉扉の上部が軸支されて下方が開く下開きの構造の開閉扉であってもディスクカートリッジの排出時にディスクシャッタが開閉扉に引っかかって排出ができないこともある。本発明は開閉扉の先端にディスクシャッタが乗り上げる傾斜面を有する突出部を設けた点に特徴があることから開閉扉の上部が軸支されて下方が開く下開きの構造の開閉扉であっても上開きの構造の開閉扉の場合と全く同様に適用可能であり、したがって下開きの構造の開閉扉においても上記のような問題が生じる場合には本発明が適用することによりディスクカートリッジをスムーズに排出できるという効果を奏することができる。
【００２９】
なお、以上の実施形態では、フレキシブルディスク装置を例に挙げて説明したが、本発明はこれに限ることなく、例えばＭＤや光磁気ディスクのようにディスクシャッタを有するディスクカートリッジに収納されたディスクを記録再生する装置であれば適用可能であることはもちろんである。
【図面の簡単な説明】
【００３０】
【図１】本発明の実施の形態にかかるフレキシブルディスクドライブ装置のフロントベゼルの背面図及び側面断面図である。
【図２】本発明の実施の形態にかかるフレキシブルディスクドライブ装置の開閉扉の斜視図及び側面図である。
【図３】本発明の実施の形態にかかるフレキシブルディスクドライブ装置の排出動作時の側面断面図である。
【図４】従来のフレキシブルディスクドライブ装置の排出動作時の底面図及び側面断面図である。
【符号の説明】
【００３１】
１      フロントベゼル
４      ディスク挿入口
６      開閉扉
７      支持部
８      軸
１９    突出部
【図１】
2006012364.tif 000003
【図２】
2006012364.tif 000004
【図３】
2006012364.tif 000005
【図４】
2006012364.tif 000006